(57)【要約】【課題】繊細な泡立てが素早く出来るスリム螺旋攪拌泡立て器を提供する。【解決手段】構成する素線を中心線Ｇから延長させ、先端部Ｘより基部Ｙへ所定の間隔を有して螺旋形状Ｃに巻き戻し、所定位置より直行戻り線Ｄとして基部Ｙに収束する事で中心線を共有する連続螺旋体が形成される。この連続螺旋形状単体はその中心線Ｇの阻害効果により複数を組み合わせた場合でも絡み合うことがなく、螺旋加工単体がそれぞれ独自の運動機能を発揮し手元の軽微な操作で効率よく繊細な攪拌泡立てが可能となる。又、スリムでシンプルなデザイン形状のため連続螺旋形状単体（Ｓ）のシングル使いに限らず、必要に応じセット製品体（Ｌ）を更にダブル使用する事が可能となり多機能性を有する。【選択図】  図３
2008036211.tif 000002
【特許請求の範囲】
【請求項１】
攪拌泡立て器を構成する素線を手元基部Ｙより先端Ｘ方向へ中心線Ｇとして直行させ、その同一延長素線Ａを所定の間隔を有して中心線Ｇを径芯とする螺旋形状Ｃとなる様に基部Ｙ（手元）方向へ巻き戻し、所定の位置Ｂで直行させ手元基部Ｙへ回収直線Ｄとして収束する事により、中心線Ｇを共有する連続螺旋形状とした事を特徴とする螺旋攪拌泡立て器。図１参照
【請求項２】
請求項１に記載する螺旋形状を、更に先端部方向Ｘから基部（手元）Ｙ方向にその螺旋体がＸ＞Ｙとなるテーパー形状とした事を特徴とする螺旋攪拌泡立て器。図２参照
【発明の詳細な説明】
【技術分野】
【０００１】
本発明は、攪拌泡立て用具を構成する素線形状に関する
【背景技術】
【０００２】
調理器具として従来の手動攪拌泡立て用具を構成する形状は、複数のステンレス鋼線を先端部で半楕円状に交差させ、各線の端部を手元で収束して持ち手（グリップ）としたものが大半であり、その攪拌及び泡立て能力は構成する素線数に比例している。その結果としてデザイン形状が相応の大きさに成らざるを得ず、従って少量を対象とした場合の攪拌及び泡立て用具としては不適当であった。尚、容器の形状によっては入隅部の攪拌が不十分であり、その口径によっては攪拌操作そのものが出来ずに使用不可となる等の不都合が生じていた。
【０００３】
泡立て効率の要素は、その攪拌具が空気を取り込みつつ対象物に与え得る抵抗量とその分散力の総負荷に左右される。当然ながら、直線体より適度な間隔を有した螺旋体の方が攪拌泡立て器としての効率及び性能は高くなる。しかし、これらの単なる螺旋形状体を複数束ねて使用する場合、次（イ、ロ、ハ）のようなその形状特性に起因する問題点が指摘される。
（イ）複数の螺旋体を束ねた場合は、お互いに絡まり単体の独自運動が阻害される。
（ロ）螺旋先端切断部の処理のあり方によっては他の容器等への損傷が懸念される。
（ハ）剛性を手元の単線径に頼るため、必要剛性によっては線径が太くなり運動機能が制限される。
上述したように、その能力を生み出す形状特性に起因するこれらの問題点が解消されなければ、攪拌能力が高くて形状的には優れている螺旋形状であってもその用途は制限され、現状では他の攪拌具に泡立て効率の補助部品として付属使用されるに留まり、螺旋形状自体をセットした攪拌泡立て用具は無きに等しい。
【０００４】
上述するその条件範囲内においての泡立て効率改善策として幾つかの考案がなされ提案されている。
【特許文献１】特開平１１−１８９６６号公報（従来の卵型泡たて器の中に鋼線で編み込んだ球形の部品を挿入したもの。）
【特許文献２】実開平５−８８４５７号公報（独立する鋼線の先端に数個の輪を形成して引き戻したもの。）
【０００５】
何れも、これらの考案の場合は対象とする攪拌物の粒が挟まり易いことや使用後の洗浄等に問題を残す事になり、基本的な解決はなされてない。輸入製品として紹介されている泡立て器具の中には直行線のステンレス鋼線の先端部に剛球を溶接し、その数本を結束したものもある。
【発明の開示】
【発明が解決しようとする課題】
【０００６】
調理道具としての手動攪拌泡立て器の場合、容器の形状や量の多少に関わらず隅々まで万遍なく軽微な操作で効率良く攪拌が出来る事に加え、構造が単純で兼用性を有し過酷な使用への耐性と使用後の洗浄が容易なこと等の機能性が課題として求められる。
そこで優れた攪拌機能を有する螺旋形状を絡まない形状に成型加工する事で、その螺旋加工単体シングルでの使用に限らず複数の螺旋単体をセットした製品体も有効に機能させ、必要によってはそのセット製品体を更にダブル使用する事を可能とし、更に使用後の洗浄を容易にする等の機能性を有する攪拌泡たて器を提供する。
【課題を解決するための手段】
【０００７】
本発明は、請求項１記載の連続螺旋形状加工における図１に見られる様に、基部Ｙより先端部Ｘへ向い直行する中心線Ｇの同一延長素線Ａを所定の位置でその外周方向へ螺旋開始させ、中心線Ｇを径芯として所定の間隔をもった螺旋形状Ｃとなるよう基部Ｙ方向へ曲げ戻し、所定の位置Ｂで直行させ回収直線Ｄとして手元基部Ｙに収束する。この連続螺旋形状加工によって攪拌に必要な剛性の確保は、単線経に中心線Ｇと回収直線Ｄとを加えた重複効果により倍増する事になり、図２の螺旋加工単体（Ｓ）シングルのみであっても、その重複剛性と連続螺旋形状により十分な攪拌能力を発揮し、更に図３にあるようにその螺旋加工単体（Ｓ）を束ねたセット製品（Ｌ）として使用する場合でも、螺旋加工体自身が有する中心線Ｇの阻害効果で相互の絡み合いが無く、螺旋単体それぞれが独自運動を可能として効率良く攪拌機能を発揮する。又、同一素線の連続形状により切断部の露出が無いため、螺旋形状による攪拌能力の向上に加えて使用中の容器損傷を少なくし使用後の洗浄も容易となる等の多機能性を有し、上述する課題の解決を図るものである。
【０００８】
更に加工単体（Ｓ）の螺旋デザインを先端部Ｘより基部Ｙ方向にかけて螺旋形状ＣがＸ＞Ｙと成る様、請求項２記載のテーパー形状とするスリムなデザインと成し、その螺旋単体（Ｓ）を束ねたセット製品体（Ｌ）を使用する場合でも全体が放射形状となるため、手元（基部Ｙ）の軽微な操作が先端部Ｘへの増幅効果を生み出し、連続螺旋形状の抵抗分散力と相まって高効率の攪拌機能が発揮される。図２、３参照
【発明の効果】
【０００９】
対象が少量の場合、螺旋加工単体（Ｓ）のシングル使用においてクリーマー及びマドラーその他のスリム攪拌具として利便性を発揮する。また、そのソリム性からシングル螺旋単体（Ｓ）の同時複数使用も容易となる。
尚、対象が多量の場合は製品全体がスリムでシンプルなデザイン特性により、箸使いの要領で手首と指先による軽敏な操作でセット製品体（Ｌ）を更にダブル使用する事が可能となる。
【発明を実施するための最良の形態】
【００１０】
その素材としてはステンレス鋼線の他に、用途及びデザインサイズ等の条件によって樹脂やその他の金属鋼線も選択される。又、スリムなデザイン特性によるセット製品体（Ｌ）のダブル使用の頻度が高く、その用途に適した細身のグリップ形状も利便性の追加条件となる。
尚、粒状固形物を含む対象物の場合は、当然その粒を挟まない程度の螺旋間隔が必要となり、例えば、コメ研ぎ用、納豆の攪拌、その他、用途によって必要剛性と共に螺旋間隔が重要なデザイン条件として求められる。
【図面の簡単な説明】
【００１１】
【図１】螺旋加工形状図
【図２】螺旋形状加工単体全体図
【図３】泡立て器製品図
【符号の説明】
【００１２】
Ａ  続素線
Ｂ  螺旋終了位置
Ｃ  螺旋形状
Ｄ  回収直線
Ｅ  握り部（グリップ）
Ｆ  留め具部
Ｇ  螺旋芯
Ｘ  先端部
Ｙ  基部（手元）
（Ｓ）旋加工単体
（Ｌ）セット製品体
【図１】
2008036211.tif 000003
【図２】
2008036211.tif 000004
【図３】
2008036211.tif 000005
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
攪拌泡立て器を構成する素線を手元基部Ｙより先端Ｘ方向へ中心線Ｇとして直行させ、その同一延長素線Ａを、所定の間隔を有して中心線Ｇを径芯とする螺旋形状Ｃとなる様、基部Ｙ（手元）方向へ巻き戻し、所定の位置Ｂで直行させ、手元基部Ｙへ回収直線Ｄとして収束する事により、直行する中心線Ｇを内有する連続螺旋形状とした事を特徴とする螺旋攪拌泡立て器。  
【手続補正２】
【補正対象書類名】明細書
【補正対象項目名】０００７
【補正方法】変更
【補正の内容】
【０００７】
請求項１記載の螺旋形状加工において、基部Ｙより先端部Ｘへ向い直行する中心線Ｇの同一延長素線Ａを、所定の位置でその外周方向へ螺旋開始させ、中心線Ｇを径芯として所定の間隔をもった螺旋形状Ｃとなるよう基部Ｙ方向へ曲げ戻し、所定の位置Ｂで直行させ回収直線Ｄとして手元基部Ｙに収束する。この直行する中心線Ｇと連続した螺旋形状と回収直線Ｄとによって、攪拌に必要な剛性の確保がなされ、螺旋加工単体（Ｓ）のみであっても、その重複剛性と螺旋形状により十分な攪拌能力を発揮し、更にその螺旋加工単体を束ねたセット製品（Ｌ）として使用する場合でも、螺旋加工体自身が有する中心線Ｇの阻害効果で相互の絡み合いが無く、螺旋単体それぞれに独自運動を可能として効率良く攪拌機能を発揮する。又、同一素線の連続形状により切断部の露出が無いため使用中の容器損傷が少なく、使用後の洗浄も容易となる等の多機能性を有し、本件の課題が解決される。図１参照
【手続補正３】
【補正対象書類名】明細書
【補正対象項目名】０００８
【補正方法】変更
【補正の内容】
【０００８】
更に加工単体の螺旋デザインを先端部Ｘより基部Ｙ方向にかけて、螺旋形状ＣがＸ＞Ｙと成る細長のテーパー形状とする事により、その螺旋単体を束ねたセット製品体（Ｌ）の場合でも、細身の独立した単体により全体が放射形状となるため、手元（基部Ｙ）の軽微な操作が先端部Ｘへの増幅効果を生み出し、直行中心線Ｇを有する連続螺旋形状の剛性と相まって高効率の攪拌機能が発揮される。図２、３参照    
【手続補正４】
【補正対象書類名】明細書
【補正対象項目名】０００９
【補正方法】変更
【補正の内容】
【０００９】
本発明の攪拌泡立て器は、螺旋形状の攪拌効率を活かしながら、直行する中心線Ｇを有して細身とする事により全体の剛性を高め、螺旋形状の弱点である腰の弱さを解消する構造特性によって、対象が少量の場合、螺旋加工単体（Ｓ）のシングル使用においてクリーマー及びマドラーその他の攪拌具として利便性を発揮し、対象が多量の場合は、そのシンプル性からセット製品体（Ｌ）を更にダブル使用する事も可能となる。